(57)【要約】      （修正有）【課題】植木鉢受け皿が回転、排水機能を有するフラワースタンド植木鉢受け皿の排水構造を提供する。【解決手段】植木鉢受け皿５の底部に排水口６を設け、排水パイプアーム４の一端を固定する。筒軸支柱１と、筒支柱２と、筒支柱２の差し込み形状を有する形状筒３を組み合わせ設ける。排水パイプアームの他端を形状筒３に設ける。【選択図】図１
0003165842.tif 000002
【実用新案登録請求の範囲】
【請求項１】
植木鉢受け皿５を設け、底部に排水口６を設ける。
植木鉢受け皿５の支持と排水に、排水パイプアーム４を設け、設けた植木鉢受け皿５の底部排水口６に、排水パイプアーム４を固定設ける。
筒軸支柱１と筒支柱２の差し込み形状を設けた、形成の形状筒３を設ける。
設けた形状筒３の隣接の位置に、植木鉢受け皿５を設けた排水パイプアーム４を形状筒３に設ける。
排水貯水タンク９を設ける。。
筒軸支柱１を設ける。
上端凹Ｅ、下端凸Ｆの筒支柱２を設ける。
設けた排水貯水タンク９に、設けた筒軸支柱１を固定設ける。
設けた筒軸支柱１に、設けた筒支柱２と、設けた植木鉢受け皿５を設けた形状筒３を交互に設け差し込み、筒支柱２と形状筒３は凹凸で組み合わせ設ける。
以上の構成よりなるフラワースタンドの植木鉢受け皿の、排水構造。
【考案の詳細な説明】
【技術分野】
【０００１】この発明は、室内で植木鉢給水に底から水が床等に流れ出るのを防止し、植木鉢を個別に回転、排水するフラワースタンドに関するものである。
【背景技術】
【０００２】従来、植木鉢複数の受け皿が固定されたフラワースタンドである、回転式フラワースタンドも、排水ホース、排水装置が外部に設置されている。
【考案の開示】
【考案が解決しようとする課題】
【０００３】これまでは次のような欠点があった。
従来、植木鉢の排水付きは個別に、排水ホース等が付いているので回転するのが困難で、又フラワースタンド全体で回転し方向を変えるので扱いづらかった。排水ホース等、が外部についているために、美観が損なわれていた。
本発明は、以上のような欠点をなくすためになされたものである。
【課題を解決するための手段】
【０００４】筒軸支柱１を設ける。
上端凹Ｅ、下端凸Ｆの筒支柱２を設ける。
植木鉢受け皿５を設け、底部に排水口６を設け、受け皿支持と排水に排水パイプアーム４を設け、設けた植木鉢受け皿５の排水口６に、排水パイプアーム４を穴付きボルト７で植木鉢受け皿５を固定、設ける。
形成の形状筒３を設け、設けた筒軸支柱１の貫通形状Ａを設け、設けた貫通形状Ａに、筒支柱２の差し込み形状凸Ｂ、形状凹Ｃを形状筒３に設ける。
設けた形状筒３の隣接の位置に、植木鉢受け皿５を設けた排水パイプアーム４を設け、排水パイプアーム４の排水出口を、形状筒３に設けた貫通形状Ａに接する位置に設ける。
排水貯水タンク９を設ける。
設けた排水貯水タンク９に、設けた筒軸支柱１を固定設ける。
設けた筒軸支柱１に、設けた上端凹Ｅ、下端凸Ｆの筒支柱２と形状凸Ｂ、形状凹Ｃを設けた形状筒３を交互に設け差し込み、筒支柱２と形状筒３は凹凸で組み合わせ設ける。
植木鉢受け皿５を設けた排水パイプアーム４を、任意に回転方向変え、植木鉢受け皿５の排水を、設けた排水パイプアーム４の内部、形状筒３の内部、筒支柱２の内部を排水孔に設けて排水する。
本発明は以上の構成によりなる、フラワースタンドの植木鉢受け皿の、排水構造である。
【考案の効果】
【０００５】植木鉢受け皿の底部に排水口６を設け、植木鉢受け皿５を設けた、排水パイプアーム４を形状筒３の隣接の位置に設け、排水パイプアーム４の排水出口を貫通形状Ａの接する位置に設け、一体型に設けたことで回転しても排水の水が、外部に流れ出ないのである。
設けた、長短、長さの異なる筒支柱２と、植木鉢受け皿５を設けた形状筒３を、設けた筒軸支柱１に交互に設け、順次差し込み筒支柱２と形状筒３に設けた凸凹を組み合わせ設け、植木鉢受け皿５を設けた排水パイプアーム４を複数設けることが出来るのである。
植木鉢受け皿５付き排水パイプアーム４が、筒軸支柱１又は形状筒３の形状Ｄを中心に、任意に個別に回転方向を変えても上部から複数の、植木鉢受け皿５を設けた排水パイプアーム４から流れて来る水が、筒軸支柱１と形状筒３に設けた貫通形状Ａの間を流れて、筒支柱２の中を流れ、貯水タンク９に排水するものである。
貯水タンク９に貯水された水で、生け花等の乾燥を抑え、必要に応じて排水バルブ１０で排出し、植花に給水等に再利用出来るものである。
スタンドの変わりに貯水タンク９を設けたことで重心が低く安定が、あるものである。
スタンドを設け、別に貯水タンク９を、設けることができるのである。
形状筒３に貫通形状Ａ、形状凸Ｂ、形状凹Ｃ、を設けたことにより、植木鉢受け皿５を設けた排水パイプアーム４と形状筒３を固定、又は形状筒３と筒支柱２上下の一方を固定設けて、凹凸を組み合わせ設けても、回転、排水機能は同等に、できるものである。
筒支柱２は水漏れを防ぐだけではなく、形状筒３の安定を支え、長さを変えて自由に高さを変え、複数の植木鉢の受け皿５を、設けることが出来るものである。
形状筒３の隣接の位置に複数の排水パイプアーム４を設けることができ、より多数の植木鉢の受け皿５を設けることが、できるものである。
排水パイプアーム４、筒軸支柱１、形状筒３、筒支柱２をパッキン等を使用せず凹凸で組み合わせて設けるために複数の植木鉢の受け皿５が、個別に回転が容易にできるものである。
排水構造が、内造された構造であり、室内に置いて植木鉢の方向を任意に変えても水が漏れなく、美観が損なわれなく、又前記排水構造を設け、給水ポンプを設け、筒軸支柱１を水の汲み上げ配管に設け、排水を巡回する給水装置を設けることができるものである。
フラワースタンド排水装置の作品はこのような構成です。
その結果、このように新しい発明の効果が生まれました。
【発明を実施するための最良の状態】
【実施例１】
【０００６】筒軸支柱１を設ける。
上端凹Ｅ、下端凸Ｆの筒支柱２を設ける。
植木鉢受け皿５の底部に排水口６を設ける。
植木鉢受け皿５の支持と排水用に排水パイプアーム４を設ける。
穴付きボルト７を設け、植木鉢受け皿５の排水口６に排水パイプアーム４を穴付きボルト７で固定設ける。
筒軸支柱１の差し込み、貫通形状Ａを設け、設けた貫通形状Ａの下部に上からの水漏れ防止と回転に、筒支柱２上端凹Ｆの組み合わせ形状凸Ｂを設け、設けた貫通形状Ａの上部に、上からの水漏れ防止と回転に、筒支柱パイプ２下端凸Ｇの組み合わせ形状凹Ｃを設けた、形成の形状筒３を設ける。
設けた形状筒３の隣接の位置に、排水パイプアーム４の取り付け形状Ｄを設け、形状筒３に設けた形状Ｄの排水出口を、貫通形状Ａの接する位置に設ける。固定ボルト８を設け、植木鉢受け皿を設けた排水パイプアーム４を、形状筒３に設けた形状Ｄに、固定ボルト８で又は溶着固定設ける。
排水貯水タンク９を設ける。
設けた排水貯水タンク９に、設けた筒軸支柱１を取り付け固定設ける。
設けた筒支柱２と、設けた形状筒３を、設けた筒軸支柱１に、形状筒支柱２と形状筒３を交互に差し込み設け、上端凹Ｅ、下端凸Ｆの筒支柱２と、形状筒３に設けた下部形状凸Ｂ、上部形状凹Ｃで組み合わせて設ける。
植木鉢受け皿５を設けた排水パイプアーム４が、筒軸支柱１を中心に任意に回転方向を変え、植木鉢受け皿５の排水を、設けた排水パイプアーム４の内部、設けた形状筒３の内部、設けた筒支柱２の内部を排水孔に設けて排水、排水貯水タンク９に貯水、排水バルブ１０を設け、設けた排水バルブ１０で排出する。
本発明は以上のような構造である
これを使用するときは、材質をプラスチック、塩ビ、ステンレス、アルミを、主に使用出来るために、軽量で錆等、が出なく、受け皿を方向を好みに合わせて個別に回転することがスムーズに出来るため、あらゆるスペース使用でき、室内で植花を観賞するのが、最適である。
【実施例２】筒軸支柱１を設ける。
長短、長さの異なる上端凹Ｅ、下端凸Ｆの筒支柱２を複数設ける。
植木鉢受け皿５設けた、形状筒３を複数設ける。
設けた排水貯水タンク９に、設けた筒軸支柱１を取り付け固定設ける。
複数設けた長短の長さの異なる筒支柱２と複数設けた下部凸Ｂ上部凹Ｃを設けた形状筒３を、設けた筒軸支柱１に、形状筒支柱２と形状筒３を交互に設け、順次差し込み、上端凹Ｅ、下端凸Ｆの筒支柱２と、形状筒３に設けた下部形状凸Ｂ、上部形状凹Ｃで組み合わせて設け、植木鉢受け皿５を、複数設ける。
【実施例３】植木鉢受け皿５を設けた排水パイプアーム４と形状筒３と筒支柱２を固定一体型に固定設け、筒軸支柱１に順次差し込み凹凸で組み合わせ設け、複数の植木鉢受け皿５を設ける。
【実施例４】筒支柱１を設け、形状筒３に差し込み形Ｄを設け、形状の筒３を筒支柱１に複数固定設け、植木鉢受け皿５を設けた、排水パイプアーム４を複数設ける。
【実施例５】設けた形状筒３の隣接の位置に、植木鉢受け皿５を設けた、排水パイプアーム４を溶着固定、設ける。
【実施例６】受け皿５の排水口６に、設けた排水パイプアーム４を溶着で固定設ける
【実施例７】設けた形状筒３の隣接の位置に植木鉢受け皿５を設けた、排水パイプアーム４を複数設ける。
【実施例８】筒軸支柱１と形状筒３の貫通形状Ａに接する位置に、凹凸の排水溝を設ける。
【実施例９】前記排水構造を設け、給水ポンプを設け、筒軸支柱１を水の汲み上げ配管に設け、排水を巡回する給水装置を設ける。
【図面の簡単な説明】
【０００７】
【図１】本発明の断面図
【図２】本発明の斜視図
【符号の説明】
【０００８】１    筒軸支柱
２    筒支柱
３    形状筒
４    排水パイプアーム
５    植木鉢受け皿
６    植木鉢受け皿排水口
７    穴付きボルト
８    固定ボルト
９    排水貯水タンク
１０  排水バルブ
Ａ    貫通形状
Ｂ    形状筒３貫通形状Ａの下部凸形状
Ｃ    形状筒３貫通形状Ａの上部凹形状
Ｄ    排水パイプアーム４の差し込み形状
Ｅ    筒支柱パイプ２上部凹
Ｆ    筒支柱パイプ２下部凸
【図１】
0003165842.tif 000003
【図２】
0003165842.tif 000004